(57)【特許請求の範囲】
【請求項１】
ケーシング(１１)内に、モータ(１２)で回転駆動されて前面側から吸い込んだ空気を軸に対して半径方向に吹き出すターボファン(１４)を上記軸を前後方向に配置して収容するとともに、上記ターボファン(１４)の前面側に熱交換器(１５)を収容した空気調和機の室内機において、
上記ターボファン(１４)からの空気を少なくとも２つの方向に吹き出す吹出口(１９o,１９u,１９l,１９r)と、各吹出口に開閉自在に枢着されたフラップ(１８o,１８u,１８l,１８r)と、各フラップを開閉方向に回動させる夫々のフラップ用モータ(１o,１u,１l,１r)とを備え、上記各フラップ用モータのための各接続コネクタ(５o,５u,５l,５r)を、上記ケーシング(１１)内に設けた制御基板(４)に、上記フラップ用モータ(１o,１u,１l,１r)に対応した位置に設けたことを特徴とする空気調和機の室内機。
【請求項２】
請求項１の空気調和機の室内機において、上記ケーシング(１１)は矩形であり、上記吹出口(１９o,１９u,１９l,１９r)はケーシング(１１)の上下左右の４方向に開口していることを特徴とする空気調和機の室内機。
【発明の詳細な説明】
【０００１】
【発明の属する技術分野】
本発明は、前面側から軸方向に吸い込んだ空気を半径方向に吹き出すターボファンを備えた空気調和機の室内機に関する。
【０００２】
【背景技術】
最近、本出願人は、単一のファンで多方向吹き出しを可能にし,かつ薄型化によるインテリア性を向上させるべく、図３,４に示すような室内機を提案した(特願平８−２７７７９６号公報)。この室内機は、説明の便宜上ここで述べるが、公開されておらず、秘密の状態であって従来の技術でない。上記室内機１０は、背面が壁面に取り付けられるケーシング１１内の後部中央にモータ１２を収容し、このモータ１２から水平前方に突出する出力軸１３に、前面から吸い込んだ空気を半径方向に吹き出すターボファン１４を固定するとともに、ターボファン１４の前面側に熱交換器１５を収容している。
熱交換器１５(図中の斜線部)は、吸込空気がバイパスしないようにカバー１６(図３参照)で覆われた矩形の開口部１５aを中心に有し、内部シャーシ１７(図４参照)を介してケーシング１１に取り付けられ、下方には熱交換器１５から滴下する結露水を補集するドレンパン２０が設けられている。ターボファン１４は、モータ１２を入り込ませた中心の湾曲突部１４aを上記開口部１５aに挿入し、羽根の根元を上記内部シャーシの湾曲縁１７aで囲まれた中央円穴１７bに位置させて配設され、ターボファン１４の最外周に臨むケーシング１１の上下左右の各辺には、図示しない夫々のステッピングモータで回動されるフラップ１８o,１８u,１８l,１８rが枢着された吹出口１９o,１９u,(１９l,１９r)が設けられている。
【０００３】
上記室内機１０のモータ１２を駆動すると、ターボファン１４が回転して、室内の空気を図４の矢印Ｒ１の如く熱交換器３を通して軸方向に吸い込み、熱交換後の調和空気は湾曲突部１４aに沿って半径方向外側に向かい、矢印Ｒ２の如くケーシング１１の四辺の吹出口１９o,１９u,１９l,１９rから吹き出される。このとき、各吹出口のフラップ１８o,１８u,１８l,１８rの開度を夫々のフラップ用モータで制御して、各吹出風の風向や風量を調整すれば、単一のモータ１２で室内機１０の左右の壁面,天井面および床面に沿って流れる調和空気を任意に制御でき、ユーザのドラフト感を解消して快適性を向上できる。
また、ターボファン１４の中心にモータ１２が入り込む湾曲突部１４aを設け、この湾曲突部１４aを熱交換器１５の中心の開口部１５aに挿入したので、室内機１０の奥行きを125mm以下に薄型化してインテリア性を向上できる。
【０００４】
【発明が解決しようとする課題】
上記４つのステッピングモータ等の電気機器を制御するため、内部シャーシ１７の上縁１７c(図４参照)に図示しない制御基板が取り付けられ、この制御基板には、各ステッピングモータへ連なるハーネス(配線束)の雄コネクタを接続する各雌コネクタ、左右下の風向を調整する各スイッチおよびステッピングモータへの制御信号を出力する制御回路などが設けられている。
ところが、本出願人の提案に係る室内機１０の上記制御基板は、上下左右のステッピングモータのハーネスを接続する４つの雌コネクタが、制御回路の近傍に横並びに隣接して設けられているため、どの雌コネクタがどのステッピングモータ用のものか不明瞭で紛らわしく、室内機１０の組立作業の際に接続を間違ったり、接続および正しく接続されたか否かの確認に長時間を要するという問題がある。
【０００５】
そこで、本発明の目的は、制御基板に設ける各フラップ用モータの雌コネクタの位置を工夫することによって、誤りなく容易かつ迅速に各モータのハーネスを制御基板に接続でき、組立作業および接続確認作業の時間を削減することができる空気調和機の室内機を提供することにある。
【０００６】
【課題を解決するための手段】
上記目的を達成するため、請求項１の発明は、ケーシング内に、モータで回転駆動されて前面側から吸い込んだ空気を軸に対して半径方向に吹き出すターボファンを上記軸を前後方向に配置して収容するとともに、上記ターボファンの前面側に熱交換器を収容した空気調和機の室内機において、上記ターボファンからの空気を少なくとも２つの方向に吹き出す吹出口と、各吹出口に開閉自在に枢着されたフラップと、各フラップを開閉方向に回動させる夫々のフラップ用モータとを備え、上記各フラップ用モータのための各接続コネクタを、上記ケーシング内に設けた制御基板に、上記フラップ用モータに対応した位置に設けたことを特徴とする。
【０００７】
請求項１の室内機では、ケーシング内に前面から吸い込んだ空気を半径方向に吹き出すターボファンおよびその前面側に熱交換器が収容され、ケーシングに少なくとも２つの方向に空気を吹き出す例えば上下の吹出口と、各吹出口に夫々のフラップ用モータで駆動されてその吹出口を開閉する上下のフラップが枢着されている。ケーシング内の制御基板には、各フラップ用モータのための接続コネクタが、フラップ用モータの位置に対応して例えば制御基板の上下に設けられている。従って、室内機の組立作業者は、上のフラップ用モータからの配線束を上の接続コネクタに、下のフラップ用モータからの配線束を下の接続コネクタに夫々接続すればよいので、誤りなく容易かつ迅速に各フラップ用モータを制御基板に接続でき、組立作業および接続確認作業の時間を削減することができる。
【０００８】
また、請求項２の発明は、請求項１の空気調和機の室内機において、上記ケーシングは矩形であり、上記吹出口はケーシングの上下左右の４方向に開口していることを特徴とする。
【０００９】
請求項２の室内機では、矩形のケーシングの上下左右に吹出口が開口し、各吹出口に夫々のフラップ用モータで駆動されてその吹出口を開閉する上下左右のフラップが枢着されている。ケーシング内の制御基板には、各フラップ用モータのための接続コネクタが、フラップ用モータの位置に対応して例えば制御基板の上下左右に設けられている。従って、室内機の組立作業者は、上,下,左,右のフラップ用モータからの各配線束を、上,下,左,右の接続コネクタに夫々接続すればよいので、多数の接続を行なうにも拘わらず、誤りなく容易かつ迅速に各フラップ用モータを制御基板に接続でき、組立作業および接続確認作業の時間を一層削減することができる。
【００１０】
【発明の実施の形態】
以下、本発明を図示の実施の形態により詳細に説明する。
図１は、前面パネル(図４のケーシング１１の引出線が指すハッチング部分)を外した状態の室内機１０の正面図である。この室内機１０は、フラップ用モータとその制御のための制御基板を追加図示した点を除いて、図３,４で述べた室内機と同じ構成であり、同じ部材には同一番号を付している。
上記室内機１０は、矩形のケーシング１１内に後方のモータ１２で駆動され,前面から吸い込んだ空気を半径方向に吹き出すターボファン１４およびその前面側に熱交換器１５が収容され、ケーシング１の上下左右に吹出口１９o,１９u,１９l,１９rが開口し、各吹出口にフラップ用モータとしてのステッピングモータ１o,１u,１l,１rで駆動されてその吹出口を開閉する上下左右のフラップ１８o,１８u,１８l,１８rが枢着されている。
【００１１】
ケーシング１１内の右上隅から、先端に雄コネクタ３uをもつハーネス２uが右下のステッピングモータ１uに向かって延び、先端に雄コネクタ３rをもつハーネス２rが右上のステッピングモータ１rに向かって延びている。また、ケーシング１０内の左上隅から、先端に雄コネクタ３lをもつハーネス２lが左下のステッピングモータ１lに向かって延び、先端に雄コネクタ３oをもつハーネス２oが左上のステッピングモータ１uに向かって延びている。
熱交換器１５をケーシング１１に取り付けている内部シャーシ１７(図４参照)の上縁１７cには、細長い矩形の制御基板４が固定され、この制御基板４に、図１に示すように各ステッピングモータ１o,１u,１l,１rの上,下,左,右の位置に対応して各ハーネスの雄コネクタ３o,３u,３l,３rを接続するための雌コネクタ５o,５u,５l,５rが設けられている。
なお、ハーネス２dは、ケーシング１１の下縁に露出して設けられた３つの表示用発光ダイオードとリモコン用の１つの受光素子を制御基板４に接続するためのものである。
【００１２】
図２は、上記制御基板４の詳細正面図である。制御基板４には、図示の如く上記雌コネクタ５o,５u,５l,５rの他、上記受光素子や発光ダイオードのための制御部、左右下の風向を調整する各スイッチおよびステッピングモータ１o,１u,１l,１rへの制御信号を出力する制御回路(図示せず)などが設けられている。
上記制御回路からの制御信号は、雌コネクタ５o,５u,５l,５rに接続された各雄コネクタ３o,３u,３l,３rからハーネス２o,２u,２l,２rを経て夫々のステッピングモータ１o,１u,１l,１rに伝えられる。
【００１３】
上記構成の室内機１０の空気調和機としての動作および作用効果は、図３,４で述べたと同様であるので説明を省略し、上記制御基板４の作用効果についてのみ述べる。
矩形のケーシング１１内の内部シャーシの上縁１７cに固定された制御基板４には、上,下,左,右のステッピングモータ１o,１u,１l,１rから出たハーネス２o,２u,２l,２rの先端の各雄コネクタ３o,３u,３l,３rを接続するための雌コネクタ５o,５u,５l,５rが、モータ位置に対応して基板の上,下,左,右に設けられている。
従って、室内機１０の組立作業者は、上,下,左,右のステッピングモータ１o,１u,１l,１rの各ハーネスの雄コネクタ３o,３u,３l,３rを、各モータの位置に合わせて制御基板４の上,下,左,右の雌コネクタ５o,５u,５l,５rに夫々そのまま接続すればよいので、４本という多数のハーネスの接続を行なうにも拘わらず、容易かつ迅速に各ステッピングモータ１o,１u,１l,１rを制御基板４に誤りなく接続でき、組立作業および接続確認作業の時間を大幅に削減することができる。
【００１４】
上記実施の形態では、矩形のケーシングの上下左右に吹出口を設けたが、ケーシングは円形や多角形でもよく、吹出口はケーシングの上下の２箇所のみに設けてもよい。この場合でも、上,下の吹出口のフラップ用モータのための接続コネクタをモータの上,下位置に合わせて設けられた制御基板上の上,下の接続コネクタに接続すればよいので、誤りなく容易かつ迅速に各ステッピングモータを制御基板に接続でき、組立作業および接続確認作業の時間を大幅に削減することができる。
【００１５】
【発明の効果】
以上の説明で明らかなように、請求項１の発明は、ケーシング内に、モータで回転駆動されて前面側から吸い込んだ空気を軸に対して半径方向に吹き出すターボファンを上記軸を前後方向に配置して収容するとともに、上記ターボファンの前面側に熱交換器を収容した空気調和機の室内機において、上記ターボファンからの空気を少なくとも２つの方向に吹き出す吹出口と、各吹出口に開閉自在に枢着されたフラップと、各フラップを開閉方向に回動させる夫々のフラップ用モータとを備え、上記各フラップ用モータのための各接続コネクタを、上記ケーシング内に設けた制御基板に、上記フラップ用モータに対応した位置に設けているので、室内機の組立作業者は、一方のフラップ用モータからの配線束をこの一方のモータの位置に対応した制御基板上の一方の接続コネクタに、他方のフラップ用モータからの配線束をこの他方のモータの位置に対応した制御基板上の他方の接続コネクタに夫々接続すればよいので、容易かつ迅速に各フラップ用モータを制御基板に誤りなく接続でき、組立作業および接続確認作業の時間を削減することができる。
【００１６】
請求項２の発明は、上記ケーシングが矩形であり、上記吹出口がケーシングの上下左右の４方向に開口しているので、室内機の組立作業者は、上,下,左,右のフラップ用モータからの各配線束を、これらモータの位置に対応する上,下,左,右の接続コネクタに夫々接続すればよいので、多数の接続を行なうにも拘わらず、容易かつ迅速に各フラップ用モータを制御基板に誤りなく接続でき、組立作業および接続確認作業の時間をさらに削減することができる。
【図面の簡単な説明】
【図１】  本発明の前面パネルを外した室内機の一例を示す正面図である。
【図２】  図１の制御基板の詳細正面図である。
【図３】  本出願人の提案に係る前面パネルを外した室内機を示す正面図である。
【図４】  図３のIV-IV線に沿う断面図である。
【符号の説明】
１o,１u,１l,１r…上,下,左,右のステッピングモータ、
２o,２u,２l,２r…ハーネス、３o,３u,３l,３r…雄コネクタ、４…制御基板、
５o,５u,５l,５r…雌コネクタ、１０…室内機、１１…ケーシング、
１２…モータ、１３…出力軸、１４…ターボファン、１５…熱交換器、
１７…内部シャーシ、１８o,１８u,１８l,１８r…上,下,左,右のフラップ、
１９o,１９u,１９l,１９r…上,下,左,右の吹出口、２０…ドレンパン。
【図１】
0003870541.tif 000002
【図２】
0003870541.tif 000003
【図３】
0003870541.tif 000004
【図４】
0003870541.tif 000005